(57)【特許請求の範囲】
【請求項１】
互いに対向する一対の固定接触子とこれらの間を橋絡する可動接触子とからなる開閉部を各相ごとに備え、前記可動接触子は接触スプリングにより前記固定接触子に対して付勢されるとともに、開閉機構により押し棒を介して前記接触スプリングに抗して押動される回路遮断器において、
前記押し棒に左右に延びる腕部を形成する一方、前記可動接触子を両側から挟む左右一対の側壁を有し、かつこれらの側壁の中央部に前記可動接触子の押動方向に沿って溝穴があけられたＵ字状断面の接触子ホルダを設け、前記押し棒の先端部を前記可動接触子の中心の穴に嵌入し、かつ前記ホルダの底部と前記押し棒の先端部との間に前記接触スプリングを挿入するとともに、前記可動接触子に直交させた前記腕部の両端部を前記接触子ホルダの側壁の溝穴に緩く嵌入するようにしたことを特徴とする回路遮断器。
【請求項２】
接触子ホルダの側壁の溝穴から突出する押し棒の腕部両端を前記接触子ホルダを収容した回路遮断器本体のケースに形成した案内溝で案内させるようにしたことを特徴とする請求項１記載の回路遮断器。
【請求項３】
接触子ホルダを消弧性ガスを発生する樹脂で成形したことを特徴とする請求項１又は請求項２記載の回路遮断器。
【発明の詳細な説明】
【０００１】
【発明の属する技術分野】
この発明は、互いに対向する一対の固定接触子とこれらの間を橋絡する可動接触子とからなる開閉部を各相ごとに備える回路遮断器に関する。
【０００２】
【従来の技術】
この種の回路遮断器として特開平６−６８７７１号に係るものがあるが、この回路遮断器は可動接触子を押動可能に保持する構成として、中空角筒状の固定ケージ内に同じく中空角筒状の押ボタンを摺動可能に組み合わせ、これらを共通に貫通するように側壁の開口を通して可動接触子を横から差し込むとともに、可動接触子と固定ケージの底部との間に接触スプリングを挿入するようにしている。
【０００３】
【発明が解決しようとする課題】
ところが、このような構成によるときは、接触スプリングを圧縮状態に保ちながら可動接触子を横から差し込まなければならないため、組立作業が面倒で手間がかかるという問題がある。
そこで、この発明の課題は、橋絡式の可動接触子を押動自在に保持させてケースに組み込む回路遮断器において、組立作業を簡単にすることにある。
【０００４】
【課題を解決するための手段】
上記課題を解決するために、この発明は、互いに対向する一対の固定接触子とこれらの間を橋絡する可動接触子とからなる開閉部を各相ごとに備え、前記可動接触子は接触スプリングにより前記固定接触子に対して付勢されるとともに、開閉機構により押し棒を介して前記接触スプリングに抗して押動される回路遮断器において、前記押し棒に左右に延びる腕部を形成する一方、前記可動接触子を両側から挟む左右一対の側壁を有し、かつこれらの側壁の中央部に前記可動接触子の押動方向に沿って溝穴があけられたＵ字状断面の接触子ホルダを設け、前記押し棒の先端部を前記可動接触子の中心の穴に嵌入し、かつ前記ホルダの底部と前記押し棒の先端部との間に前記接触スプリングを挿入するとともに、前記可動接触子に直交させた前記腕部の両端部を前記接触子ホルダの側壁の溝穴に緩く嵌入するようにする。
【０００５】
このような手段によれば、接触スプリング、可動接触子及び押し棒を順次重ねるようにして接触子ホルダ内に挿入し、押し棒を押しながら９０度回転させてその腕部両端を接触子ホルダの溝穴に進入させるだけで可動接触子を組み付けられるので組立作業が簡単となる。その場合において、接触子ホルダの側壁の溝穴から突出する押し棒の腕部の両端部を前記接触子ホルダを収容した回路遮断器本体のケースに形成した案内溝で案内させることにより、押動操作を受ける押し棒の姿勢を正確に保つことができる。また、接触子ホルダを消弧性ガスを発生する樹脂で成形することにより、電流遮断時にアーク熱で接触子ホルダから消弧性ガスを多量に発生させ、消弧時間を短縮して遮断性能を高めることができる。
【０００６】
【発明の実施の形態】
以下、図１〜図５に基づいてこの発明の実施の形態を説明する。まず、図１は可動接触子部分の分解斜視図、図２はその組立状態の斜視図である。図１及び図２において、図示しない固定接触子の間を橋絡する可動接触子１は両端に一対の可動接点１ａを備え、中心に丸穴２があけられ、その前後両側に一対の突起１ｂが一体形成されている。可動接触子１を押動操作する押し棒３は、丸棒３ａの左右に平板な腕部３ｂが一体形成され、丸棒３ａの外径は可動接触子１の丸穴２の内径よりも僅かに小さく、また腕部３ｂから図１の下方に突出する丸棒３ａの先端部の突出長さは可動接触子１の厚みより大きくなっている。
【０００７】
可動接触子１は接触子ホルダ４内に図２に示すように押動可能に保持されるが、消弧性ガスが発生しやすい樹脂から成形された接触子ホルダ４は、可動接触子１を両側から挟む左右一対の側壁４ａを有する横断面Ｕ字状に形成され、凹状底部を形成する中央部は下方に突出している。そして、この凹状底部に連続する左右側壁の中央部には、可動接触子１の押動方向に沿って溝穴５があけられている。６は圧縮コイルばねからなる接触スプリングである。
【０００８】
図１の可動接触子１、押し棒３、接触子ホルダ４及び接触スプリング６を図２の状態に組み立てるには、接触子ホルダ４の凹状底部に突出形成されたスプリング受け４ｂに接触スプリング６の一端を嵌め込む一方、可動接触子１の丸穴２に腕部３ｂが可動接触子１に平行になるようにして挿通した押し棒３の先端部を接触スプリング６の他端に挿入し、押し棒３を接触スプリング６に抗して押しながら９０度回転させ、可動接触子１に直交させた腕部３ｂの両端部を接触子ホルダ側壁４ａの溝穴５に進入させる。
【０００９】
ここで、図１において、押し棒３の腕部３ｂの全長Ａは接触子ホルダ４の側壁４ａの内法寸法Ｂより長くなっているが、溝穴５の幅寸法Ｄは押し棒３の上記回転を妨げないように、腕部３ｂの幅寸法Ｃより十分広くなっており、腕部３ｂの両端部は溝穴に緩く嵌入する。図２において、押し棒３は腕部３ｂが突起１ｂに挟まれて可動接触子１と直交した状態に維持され、また可動接触子１及び押し棒３は接触スプリング６により押し上げられ、腕部３ｂが溝穴５の上縁に当たっている。
【００１０】
可動接触子１を保持した接触子ホルダ４は、各相別に回路遮断器本体のケース７に組み込まれる。図３はケース７内に接触子ホルダ４を組み込んだ状態の縦断面図、図４はそのIV−IV─に沿う断面図である。図１に示すように、ケース７の各相遮断室の左右側壁の対向面には、接触子ホルダ４の溝穴５の幅寸法Ｄよりも僅かに小さい幅寸法Ｅの突条７ａがそれぞれ形成され、また各突条７ａの内側面には押し棒３の腕部３ｂの幅寸法Ｃよりも僅かに大きい幅寸法Ｆの案内溝８が形成されている。そこで、接触子ホルダ４は溝穴５が突条７ａに嵌合するようにしてケース７内に挿入され、同時に図４に示すように押し棒３の腕部３ｂの両端部が案内溝８内に挿入される。
【００１１】
接触子ホルダ４の前後（電源側及び負荷側）には消弧室９が組み込まれ、次いで前後一対の固定接触子１０が可動接触子１の上方に、ケース７の図示しない受け部に支持されて組み込まれる。固定接触子１０は固定接点１０ａを備え、固定接点１０ａは可動接点１ａに接触して、可動接触子１を接触スプリング６に抗して僅かに押し下げる。この状態で、押し棒３の腕部３ｂは溝穴５の上縁から離れ、可動接触子１は接触スプリング６により固定接触子１０に押圧されて、可動・固定接点１ａ，１０ａ間に接触圧力が与えられる。なお、前後の消弧室９，９間には短絡板１１が渡されている。
【００１２】
図３及び図４において、固定接触子１０，１０間は可動接触子１により橋絡され、図示しない電源側及び負荷側の端子間の電路は閉成されているが、電流遮断時には図示しない開閉機構により各相の押し棒３が同時に押し下げられ、可動接触子１が固定接触子１０から開離する。また、その後、押し棒３が開閉機構から開放されると、接触スプリング６の力により可動接触子１が押し上げられ、図示閉成状態に復帰する。その際、押し棒３は腕部３ｂの両端部が案内溝８に案内されて上下移動時の前後の傾きが防止され、それにより前後の可動接点１ａ，１ａは固定接点１０ａ，１０ａと均等な距離を保って開閉運動する。
【００１３】
図５は異なる実施の形態を示す可動接触子部分の平面図である。図５の実施の形態では可動接触子１の左右側面に各前後一対の凹部１ｃが設けられる一方、これに緩く嵌合する突条４ｃが接触子ホルダ４に設けられている。これにより、可動接触子１の前後の位置ずれや上下の傾きが防止され開閉動作が一層安定する。
【００１４】
上記実施の形態によれば、可動接触子１の丸穴２に挿入した押し棒３の先端部を更に接触子ホルダ４内の接触スプリング６に挿入し、押し棒３を押しながら９０度回転させて腕部３ｂの両端部を溝穴５に進入させるだけで可動接触子１を接触子ホルダ４に組み付けられるので組立作業がきわめて簡単である。また、押し棒３に形成した腕部３ｂの両端部をケース７の案内溝８で案内させるようにしたので、溝穴５の幅寸法を十分大きくして押し棒３の上記回転を容易にしても、押し棒３の上下移動時の姿勢を正確に保つことができる。更に、接触子ホルダ４を消弧性ガスを発生しやすい樹脂で成形したので、電流遮断時のアーク熱で消弧性ガスを多量に発生させ消弧を促進することができる。
【００１５】
【発明の効果】
以上の通り、この発明によれば、橋絡可動接触子を押動自在に保持させてケースに組み込む際の組立作業が簡単となり、また可動接触子の開閉動作が安定し、更に遮断性能が向上する。
【図面の簡単な説明】
【図１】この発明の実施の形態を示す可動接触子部分の分解斜視図である。
【図２】図１の可動接触子部分の組立状態の斜視図である。
【図３】図２の可動接触子部分を組み込んだ回路遮断器の要部平面図である。
【図４】図３のIV−IV線に沿う断面図である。
【図５】この発明の異なる実施の形態を示す回路遮断器の要部平面図である。
【符号の説明】
１    可動接触子
３    押し棒
３ｂ  腕部
４    接触子ホルダ
５    溝穴
６    接触スプリング
７    ケース
８    案内溝
９    消弧室
１０    固定接触子
【図１】
0003775538.tif 000002
【図２】
0003775538.tif 000003
【図３】
0003775538.tif 000004
【図４】
0003775538.tif 000005
【図５】
0003775538.tif 000006